(57)【要約】      （修正有）【課題】簡単な構成で、必要に応じて種々の形状のタブを形成することが可能である。【解決手段】タブ作成装置１は、タブを形成するタブ作成手段６０を備え、タブ作成手段６０は、タブを形成するタブ形成刃２４を有する刃ユニット２０を装置本体に固定し、または装置本体に着脱可能とし、形成するタブの形状に応じて刃ユニット２０を交換可能とする構成である。【選択図】図１
2019010722.tif 000002
【特許請求の範囲】
【請求項１】
シート端部にタブを設けるタブ作成手段を備え、
前記タブ作成手段は、
タブを形成するタブ形成刃を有する刃ユニットを装置本体に固定したことを特徴とするタブ作成装置。
【請求項２】
シート端部にタブを設けるタブ作成手段を備え、
前記タブ作成手段は、
タブを形成するタブ形成刃を有する刃ユニットを装置本体に着脱可能とし、
タブの形状に応じて前記刃ユニットを交換可能としたことを特徴とするタブ作成装置。
【請求項３】
前記刃ユニットのタブ形成刃を作動させる操作部を有する装置本体を備え、
前記装置本体を開放可能した構成であり、
前記装置本体を開放した状態で、前記刃ユニットをセットして交換することを特徴とする請求項２に記載のタブ作成装置。
【請求項４】
前記刃ユニットのタブ形成刃を作動させる操作部を有する装置本体を備え、
前記装置本体に挿入可能部を有する構成であり、
前記装置本体の挿入可能部に、前記刃ユニットをセットして交換することを特徴とする請求項２に記載のタブ作成装置。
【請求項５】
前記タブ作成手段は、
前記刃ユニットをセットして交換することで動作可能になる構成であることを特徴とする請求項２乃至請求項４のいずれか１項に記載のタブ作成装置。
【発明の詳細な説明】
【技術分野】
【０００１】
この発明は、シートにタブを形成するタブ作成装置に関する。
【背景技術】
【０００２】
従来、一般的に文書ファイルを手作業で整理する場合には、タブを設けることが広く実施されている。例えば、文書ファイルのシートは複写機やプリンタのような画像形成装置よって作成されるが、近来の画像形成装置にあっては複写機能、プリンタ機能、ファクシミリ機能などを複数の機能を備えた複合機が提供されており、複数利用者の画像出力手段としてこのような複合機が設置された場合、複合機の排紙トレイー上には複数の文書束が重ね置きされることが多い。このように１枚の排紙トレイー上に積載された複数の文書束をジョブ毎に判別仕分けするためには、従来、一部又は全部の文書内容を確認する作業がしばしば発生し、この非効率な作業を改善することが一つの課題となっている。
【０００３】
この一つの解決手段として、例えば特許文献１や特許文献２には、画像形成装置にタブ紙を給紙するとともに、文書シートの間に挿入するインサート機構を設けることが記載されている。また、特許文献３には、シート端部に切り込みを入れ、これを折り返してタブとすることが記載されている。
【特許文献１】特開２００２−１５２４４２号公報
【特許文献２】特開２００３−４０５１７号公報
【特許文献３】特開平９−１７５７２５号公報
【発明の開示】
【発明が解決しようとする課題】
【０００４】
しかしながら、特許文献１乃至特許文献３の技術は、特定の形状のタブを形成するものであり、文書ファイルに応じたり、使用者の好みに応じた形状のタブを形成することができなかった。
【０００５】
この発明は、このような従来技術の実情に鑑みてなされたもので、簡単な構成で、必要に応じて種々の形状のタブを形成することが可能なタブ作成装置を提供することを目的とする。
【課題を解決するための手段】
【０００６】
前記課題を解決し、かつ目的を達成するために、この発明は、以下のように構成した。
【０００７】
請求項１に記載の発明は、シート端部にタブを設けるタブ作成手段を備え、
前記タブ作成手段は、
タブを形成するタブ形成刃を有する刃ユニットを装置本体に固定したことを特徴とするタブ作成装置である。
【０００８】
請求項２に記載の発明は、シート端部にタブを設けるタブ作成手段を備え、
前記タブ作成手段は、
タブを形成するタブ形成刃を有する刃ユニットを装置本体に着脱可能とし、
タブの形状に応じて前記刃ユニットを交換可能としたことを特徴とするタブ作成装置である。
【０００９】
請求項３に記載の発明は、前記刃ユニットのタブ形成刃を作動させる操作部を有する装置本体を備え、
前記装置本体を開放可能した構成であり、
前記装置本体を開放した状態で、前記刃ユニットをセットして交換することを特徴とする請求項２に記載のタブ作成装置である。
【００１０】
請求項４に記載の発明は、前記刃ユニットのタブ形成刃を作動させる操作部を有する装置本体を備え、
前記装置本体に挿入可能部を有する構成であり、
前記装置本体の挿入可能部に、前記刃ユニットをセットして交換することを特徴とする請求項２に記載のタブ作成装置である。
【００１１】
請求項５に記載の発明は、前記タブ作成手段は、
前記刃ユニットをセットして交換することで動作可能になる構成であることを特徴とする請求項２乃至請求項４のいずれか１項に記載のタブ作成装置である。
【発明の効果】
【００１２】
前記構成により、この発明は、以下のような効果を有する。
【００１３】
請求項１乃至請求項５に記載の発明では、タブ作成手段は、タブを形成するタブ形成刃を有する刃ユニットを着脱可能とし、タブの形状に応じて刃ユニットを交換可能としたことで、簡単な構成で、必要に応じて種々の形状のタブを形成することが可能である。
【図面の簡単な説明】
【００１４】
【図１】タブ作成装置の内部構造を示す図である。
【図２】装置本体を開放した状態を示す図である。
【図３】刃ユニットの交換を示す図である。
【図４】タブの形状を示す図である。
【図５】他の形態のタブ作成装置の刃ユニットの交換構成を示す図である。
【図６】他の実施の形態のタブの形状を示す図である。
【図７】タブ作成装置の刃ユニットを装置本体に固定した状態を示す図である。
【発明を実施するための形態】
【００１５】
以下、この発明のタブ作成装置の実施の形態について説明する。この発明の実施の形態は、発明の最も好ましい形態を示すものであり、この発明はこれに限定されない。
【００１６】
（第１の形態のタブ作成装置の構成）
この実施の形態のタブ作成装置の構成を、図１乃至図５に基づいて説明する。図１はタブ作成装置の内部構造を示す図、図２は装置本体を開放した状態を示す図、図３は刃ユニットの交換を示す図、図４はタブの形状を示す図である。
【００１７】
この実施の形態のタブ作成装置１は、刃ユニット２０のタブ形成刃を作動させる操作部３０を有する装置本体１０を備える。装置本体１０は、下本体１０Ａと上本体１０Ｂからなり、下本体１０Ａと上本体１０Ｂによって、シート端部を挿入する挿入部５０が形成され、下本体１０Ａと上本体１０Ｂは解放可能に構成されている。下本体１０Ａには、刃ユニット２０が着脱可能に保持される。下本体１０Ａには、タブを形成するタブ作成手段６０を備え、上本体１０Ｂには、刃ユニット２０のタブ形成刃を作動する操作部３０を備え、操作部３０によりタブ作成手段６０を作動させる。
【００１８】
上本体１０Ｂの上端部には支持軸１１が設けられ、上本体１０Ｂは支持軸１１に回動可能に支持され、上本体１０Ｂが下本体１０Ａに対して開閉可能に構成されている。下本体１０Ａに対して上本体１０Ｂを開放することで、刃ユニット２０を交換可能としている。挿入部５０は、下本体１０Ａと上本体１０Ｂの間に形成されており、挿入部５０からシート端部を挿入、引出しを可能とする。
【００１９】
タブ作成手段６０は、折り返しタブの外縁を形成するタブ形成刃２４を有する刃ユニット２０を着脱可能とし、形成する折り返しタブの形状に応じて刃ユニット２０を交換可能とした構成である。
【００２０】
刃ユニット２０は、ハウジング２１と押動体２２を備え、ハウジング２１の内部には受けプレート２３とタブ形成刃２４が配置されている。受けプレート２３には、中央部に方形の受孔２３ａが形成され、タブ形成刃２４は押動体２２により初期位置と折り返しタブの外縁形成位置を往復動する構成である。タブ形成刃２４はテーパ状に形成され、高い辺２４ａが受孔２３ａに接し、挿入されたシート端部に折り返しタブの外縁を形成し、低い辺２４ｂは受孔２３ａに接することなく隙間を有することで、切断されることなく折り返しタブの折り目を形成する。
【００２１】
操作部３０は、操作レバー３１と支持レバー３２を有し、操作レバー３１は、上本体１０Ｂに支持軸３３を支点に回動可能に支持され、支持レバー３２は保持リンク３４より保持される。保持リンク３４は、上本体１０Ｂに支持軸３５を支点に回動可能に支持されている。操作レバー３１に形成されたガイド溝３１ａに、支持レバー３２に設けたガイドピン３２ａを係合して操作レバー３１と支持レバー３２が連結され、操作レバー３１は押動体２２を押動する突起３１ｂを有する。
【００２２】
操作レバー３１は、図１の実線で示す位置では、操作レバー３１の突起３１ｂが押動体２２を押動しない状態である。この操作レバー３１を上方から下方に押す操作を行うと、操作レバー３１によって支持レバー３２が下方に押され、保持リンク３４より保持されながら装置本体１０に収納され、図１の二点鎖線で示す位置になり、操作レバー３１の突起３１ｂが押動体２２を押動し、タブ形成刃２４は、押動体２２により初期位置から折り返しタブの外縁形成位置に移動し、挿入されたシート端部に折り返しタブの外縁を形成する。
【００２３】
タブ作成手段６０は、形成された折り返しタブの外縁を折り返し位置に導くガイド手段７０と、挿入されたシート端部を挿入部５０から引き出す際に、形成された折り返しタブを折り返してシート端部に設けるタブ折り返し手段８０とを備える。
【００２４】
ガイド手段７０は、ガイドバー初期位置とガイド位置を往復動するガイドバー７１を有する。ガイドバー７１は、支持軸７２に回動可能に設けられ、リンク７３を介してアーム７４に連結されている。アーム７４は、支持軸７５に回動可能に設けられ、アーム７４に設けられたレバー７６が操作部材７７に当接している。操作部材７７はタブ形成刃２４に固定されている。
【００２５】
タブ形成刃２４が初期位置では、図１において実線で示す状態であり、ガイドバー７１が初期位置である。タブ形成刃２４が初期位置から折り返しタブの外縁形成位置に移動すると、操作部材７７がレバー７６を押すからアーム７４に右方向に回転し、この回転でリンク７３を介してガイドバー７１が右方向に回転し、ガイドバー７１は、図１において二点鎖線に示すように、ガイド位置に連動して移動する。
【００２６】
タブ折り返し手段８０は、シート端部を挿入部５０に挿入するローラ対８１を含み、駆動機構９０により駆動される。このローラ対８１は、ゴム、樹脂などで成形され、挿入されたシート端部を挿入部５０から引き出す際に、ローラ対８１が形成された折り返しタブを折り返して押圧し、シート端部に折り返しタブを設ける。
【００２７】
駆動機構９０は、駆動源としての駆動モータ９１、駆動ギヤ９２、タイミングベルト９３、従動ギヤ９４を含み、ローラ対８１を回転させる。このローラ対８１の回転によりシート端部を挿入部５０に挿入し、または挿入部５０から取出し方向に異動させて折り返しタブを折り返して押圧し、シート端部に折り返しタブを設ける。
【００２８】
（タブ作成装置の作動）
次に、この実施の形態のタブ作成装置の作動を、図１乃至図４に基づいて説明する。
【００２９】
この実施の形態のタブ作成装置１では、例えば図示しない位置決めバーに折り返しタブを形成するシートの端部を当接し、シートをセット位置に決めし、駆動機構９０によりローラ対８１を回転させ、シート端部を挿入部５０に挿入する。
【００３０】
シート端部を挿入部５０に挿入した状態では、図１において実線に示すように、タブ形成刃２４及びガイドバー７１は、初期状態にある。この初期状態では、操作レバー３１は、図１の実線で示す位置であり、操作レバー３１の突起３１ｂが押動体２２を押動しない。この操作レバー３１を上方から下方に押す操作を行うと、操作レバー３１によって支持レバー３２が下方に押され、保持リンク３４より保持されながら装置本体１０に収納され、図１の二点鎖線で示す位置になり、操作レバー３１の突起３１ｂが押動体２２を押動し、タブ形成刃２４は押動体２２により初期位置から折り返しタブの外縁形成位置に移動し、挿入されたシート端部に折り返しタブの外縁Ａを形成し（図４（ａ））、さらにタブ形成刃２４を下降させ切断されることない折り目Ｂを形成し（図４（ｂ））、タブ形成刃２４を初期位置から折り返しタブの外縁形成位置へ移動させる。
【００３１】
タブ形成刃２４が初期位置から折り返しタブの外縁形成位置へ移動することで、操作部材７７がレバー７６を押すからアーム７４に右方向に回転し、この回転でリンク７３を介してガイドバー７１が右方向に回転し、ガイドバー７１は、図１において二点鎖線に示すように、ガイド位置に連動して移動する。  
【００３２】
このガイドバー７１がガイド位置の状態で、駆動機構９０によりローラ対８１を逆方向に回転させ、挿入されたシート端部を挿入部５０から引き出すと、この引き出す際に、ローラ対８１が形成された折り返しタブを折り返して押圧し、シート端部に折り返しタブＣを設ける（図５（ｃ））。
【００３３】
例えば、文書ファイルに応じたり、使用者の好みに応じた形状のタブを形成する場合には、下本体１０Ａに対して上本体１０Ｂを開放することで、刃ユニット２０を交換し、図５に示すようなシート端部に特定の図柄の折り返しタブＣを設けることができる。タブ作成手段６０は、刃ユニット２０をセットして交換することで、刃ユニット２０の操作部材７７が、アーム７４に設けられたレバー７６に当接し動作可能になる。特定の図柄として、例えばキャラクターが好ましく、キャラクターは、例えば小説、漫画、映画、アニメ、コンピュータゲームなどのフィクションに登場する人物や動物など、あるいはそれら登場人物の性格や性質のことを意味し、その特徴を通じて、一定のイメージを与えることができる。
【００３４】
このように、タブ作成手段６０は、折り返しタブの外縁を形成するタブ形成刃２４を有する刃ユニット２０を着脱可能とし、形成するタブの形状に応じて刃ユニット２０を交換可能としたことで、簡単な構成で、必要に応じて種々の形状のタブを形成することが可能である。
【００３５】
（第２の形態のタブ作成装置の構成）
この実施の形態のタブ作成装置の構成を、図５に基づいて説明する。図５はタブ作成装置の刃ユニットの交換構成を示す図である。
【００３６】
この実施の形態のタブ作成装置１は、第１の形態のタブ作成装置と同様に構成されるが、装置本体１０に挿入可能部１０Ｃを有する構成である。この実施の形態では、装置本体１０の挿入可能部１０Ｃに、刃ユニット２０をセットして交換し、タブ作成手段６０は、刃ユニット２０をセットして交換することで動作可能になる構成である。      
【００３７】
また、第１及び第２の形態のタブ作成装置では、図６（ａ）〜（ｏ）に示すように折り返しタブを形成する実施例を示したが、タブは、図６（ｐ）〜（ｒ）に示すように折り返すことなく、種々の形状を打ち抜いて形成してもよい。
【００３８】
（第３の形態のタブ作成装置の構成）
この実施の形態のタブ作成装置の構成を、図７に基づいて説明する。図７はタブ作成装置の刃ユニットを装置本体に固定した状態を示す図である。
【００３９】
この実施の形態のタブ作成装置１は、シート端部にタブを設けるタブ作成手段６０を備え、タブ作成手段６０は、タブを形成するタブ形成刃を有する刃ユニット２０を装置本体１０に固定した構成である。刃ユニット２０は、タブを形成するタブ形成刃を有し、このタブ形成刃は、図６（ａ）〜（ｏ）に示すように折り返しタブを形成する実施例のものでも、また図６（ｐ）〜（ｒ）に示すように折り返すことなく、種々の形状を打ち抜いて形成するものでもよい。
【産業上の利用可能性】
【００４０】
この発明は、シートにタブを形成するタブ作成装置に適用可能であり、簡単な構成で、必要に応じて種々の形状のタブを形成することができる。
【符号の説明】
【００４１】
１  タブ作成装置
１０  装置本体
１０Ａ  下本体
１０Ｂ  上本体
１０Ｃ  挿入可能部
２０  刃ユニット
２１  ハウジング
２２  押動体
２３  受けプレート
２４  タブ形成刃
３０  操作部
３１  操作レバー
３２  支持レバー
３３，３５  支持軸
３４  保持リンク
５０  挿入部
６０  折り返しタブ作成手段
７０  ガイド手段
７１  ガイドバー
７２，７５  支持軸
７３  リンク
７４  アーム
７６  レバー
７７  操作部材
８０  タブ折り返し手段
８１  ローラ対
９０  駆動機構
【図１】
2019010722.tif 000003
【図２】
2019010722.tif 000004
【図３】
2019010722.tif 000005
【図４】
2019010722.tif 000006
【図５】
2019010722.tif 000007
【図６】
2019010722.tif 000008
【図７】
2019010722.tif 000009